(57)【要約】【課題】使用者のズボン等の衣服の後ポケットに入れた際、違和感を抑制できるシャックル錠を提供する。【解決手段】シャックル錠１０は、ポケットサイズに形成されるとともに、中央部にＵ字状部２２を有し、Ｕ字状部２２の両端に一体に連結された一対の錠本体接続部２４を有するロッド２０と、ロッド２０の一対の錠本体接続部２４、２６の端部を抜き出し自在に挿入する錠本体３０を備えている。Ｕ字状部２２と、一対の錠本体接続部２４の境界の２箇所において鈍角の屈曲角度で屈曲されている。【選択図】図１
2018105043.tif 000002
【特許請求の範囲】
【請求項１】
ポケットサイズに形成されるとともに、中央部にＵ字状部を有し、該Ｕ字状部の両端に一体に連結された一対の錠本体接続部を有するロッドと、
該ロッドの一対の錠本体接続部のうち少なくとも一方の錠本体接続部の端部を抜き出し自在に挿入する挿入孔を有する錠本体を有し、
前記錠本体が施錠がされることにより、前記ロッドと前記錠本体とによりループが保持されるシャックル錠であって、
前記Ｕ字状部、または、一対の錠本体接続部のいずれかの一方の部位において、或いは、両部の境界において鈍角の屈曲角度で屈曲されているシャックル錠。
【請求項２】
前記屈曲角度は、
前記ループが保持された状態で平面に載置されて、該平面から浮き上がった前記Ｕ字状部が上方から下方へ押圧されたとき、前記錠本体が浮き上がり、浮き上がった前記錠本体と前記平面との間で指が挿入自在となる角度である請求項１に記載のシャックル錠。
【発明の詳細な説明】
【技術分野】
【０００１】
本発明は、二輪車等の鞍乗型車両で使用されるシャックル錠に関する。
【背景技術】
【０００２】
自転車等の鞍乗型車両で使用される盗難防止用のシャックル錠は、Ｕ字状のロッドと、該ロッドの端部を挿入する挿入孔を有する錠本体とを備えている（特許文献１、特許文献２参照）。シャックル錠は、前記挿入孔内に前記ロッドの端部に設けられた係止部が挿入された状態で、錠本体の施錠が行われることにより、前記ロッドと前記錠本体とにより形成されたループを保持する。
【０００３】
従来は、二輪車等の鞍乗型車両を使用する場合は、シャックル錠を二輪車等から取り外して、ループを形成したシャックル錠を使用者の鞄に収納したり、或いは二輪車等のハンドル等に掛けることが行われている。シャックル錠を鞄に収納する場合は、鞄を開けて該シャックル錠を入れた後、該鞄を閉じる作業が必要であり、面倒な問題がある。また、ループを形成したシャックル錠を二輪車等のハンドル等に掛ける場合は、走行中に揺れたりすることにより、二輪車等のハンドルを傷つける虞がある。
【先行技術文献】
【特許文献】
【０００４】
【特許文献１】特開平７−１８０４１８号公報
【特許文献２】特開２００７−６３９１９号公報
【発明の概要】
【発明が解決しようとする課題】
【０００５】
また、シャックル錠のロッドがポケットサイズの場合、使用者によっては、ループを形成したシャックル錠のロッドをズボンの後ポケットに入れることが行われている。
しかし、単に後ポケットに入れても使用者が二輪車等にまたがった状態では、ロッドによってポケットが張ってしまい、使用者に違和感を感ずることがある。
【０００６】
本発明の目的は、使用者のズボン等の衣服の後ポケットに入れた際、違和感を抑制できるシャックル錠を提供することにある。
【課題を解決するための手段】
【０００７】
上記問題点を解決するために、本発明は、ポケットサイズに形成されるとともに、中央部にＵ字状部を有し、該Ｕ字状部の両端に一体に連結された一対の錠本体接続部を有するロッドと、該ロッドの一対の錠本体接続部のうち少なくとも一方の錠本体接続部の端部を抜き出し自在に挿入する挿入孔を有する錠本体を有し、前記錠本体が施錠がされることにより、前記ロッドと前記錠本体とによりループが保持されるシャックル錠であって、前記Ｕ字状部、または、一対の錠本体接続部のいずれかの一方の部位において、或いは、両部の境界において鈍角の屈曲角度で屈曲されているものである。
【０００８】
また、前記屈曲角度は、前記ループが保持された状態で平面に載置されて、該平面から浮き上がった前記Ｕ字状部が上方から押圧されたとき、前記錠本体が浮き上がり、浮き上がった前記錠本体と前記平面との間で指が挿入自在となる角度であることが好ましい。
【発明の効果】
【０００９】
本発明によれば、使用者のズボン等の衣服の後ポケットに入れた際、使用者の違和感を抑制できる効果を奏する。
【図面の簡単な説明】
【００１０】
【図１】一実施形態のシャックル錠の斜視図。
【図２】シャックル錠の係止体を錠本体から分離した状態の斜視図。
【図３】シャックル錠の側面図。
【図４】シャックル錠をズボンポケットに入れた状態の説明図。
【図５】シャックル錠を扱う場合の説明図。
【図６】他の実施形態のシャックル錠の側面図。
【発明を実施するための形態】
【００１１】
図１〜図５を参照して、本発明を具体化した一実施形態のシャックル錠を説明する。
図１、図２に示すようにシャックル錠１０は、ロッド２０と、ロッド２０の両端を係止して保持可能とする錠本体３０とを備えている。
【００１２】
ロッド２０は、ポケットサイズの大きさであって、Ｕ字状のＵ字状部２２を中央部とし、該Ｕ字状部２２の両端に対して一対の錠本体接続部２４、２６が一体に連結されて同方向に延出されている。ポケットサイズとは、ロッド２０がポケットに挿入できる大きさのことであり、特に、ズボン等の後ポケットに挿入できる大きさが好ましい。
【００１３】
本実施形態では、錠本体接続部２４、２６は、互いに平行に配置されているが、平行に限定するものではなく、錠本体３０に行くほど拡開したり、或いは狭くなるように配置してもよい。
【００１４】
ロッド２０は、金属製であって剛性を有しており、錠本体接続部２４、２６のＵ字状部２２とは反対側の端部を除いて全体に合成樹脂製のカバー２８が被覆されている。
図２に示すように、ロッド２０の錠本体接続部２４、２６の挿入端部には溝状の係止部２５、２７が設けられている。
【００１５】
錠本体３０は、前記ロッド２０の錠本体接続部２４、２６の挿入端部を挿入する一対の挿入孔３２が設けられている。
錠本体３０の金属ケース３０ａ内には、シリンダー錠３４が内装されており、各挿入孔３２にロッド２０の各挿入端部が挿入された状態で、シリンダー錠３４を図示しないキーにて施錠操作することにより、係止部２５、２７が図示しないロック部が係合することにより施錠される。この状態で、ロッド２０と錠本体３０とにより、ループが形成されて保持される。
【００１６】
また、シリンダー錠３４を図示しないキーにて解錠操作することにより図示しない前記ロック部の係合が解除されて、ロッド２０の各挿入端部が挿入孔３２から離脱を可能としている。また、図３に示すようにロッド２０は、側面視されたとき、錠本体接続部２４、２６の軸心２４ａ、２６ａと、Ｕ字状部２２の軸心２２ａとは、屈曲角度θが鈍角となるように２箇所の部位で錠本体接続部２４、２６に対してＵ字状部２２が屈曲されている。本実施形態では、錠本体接続部２４、２６とＵ字状部２２の境界で屈曲されている。
【００１７】
図５に示すように、屈曲角度θは、前記ループが保持された状態でシャックル錠１０が平面Ｈに載置されて、該平面Ｈから浮き上がった前記Ｕ字状部２２が上方から下方へ押圧されたとき、錠本体３０が浮き上がり、その浮き上がった錠本体３０と平面Ｈとの間に人の指Ｙが挿入自在となる角度としている。
【００１８】
（実施形態の作用）
図４及び図５を参照して、上記のように構成されたシャックル錠１０の作用を説明する。
【００１９】
図４に示すように鞍乗型車両から外され、ループが保持された状態のシャックル錠１０を、使用者のズボンの後ポケットＰのポケット口から収納空間Ｐａに挿入する。このとき、該Ｕ字状部２２が屈曲する方向と、使用者のお尻の曲面Ｋ（なお、図４では、ズボンの表面をお尻の曲面として代替表示している。）の湾曲方向とを一致させるようにしてこのシャックル錠１０を後ポケットＰに挿入する。
【００２０】
すると、図４に示すように、ロッド２０の錠本体接続部２４、２６、及び、Ｕ字状部２２は、それぞれ使用者のお尻の曲面Ｋに沿うように配置される。また、Ｕ字状部２２は屈曲しているため、後ポケットＰを形成する表面側の布地を張ることが抑制される。
【００２１】
すなわち、従来のシャックル錠は、Ｕ字状部２２の軸心と、錠本体接続部２４、２６の軸心は、同一平面上に含まれている。このため、従来のシャックル錠を後ポケットＰにロッドを挿入すると、Ｕ字状部２２は、使用者のお尻の曲面Ｋに沿わせることができず、ポケットの下部が張った状態になる。或いは、無理にＵ字状部２２を使用者のお尻の曲面Ｋに沿わせると、錠本体接続部２４、２６がお尻から離間して、身体に沿わせることができなくなり、ポケット口が大きく開口して張り状態となる。
【００２２】
このため、使用者には、この張りによって違和感がある。本実施形態によれば、このような違和感を抑制でき、図４に示す状態で、使用者が鞍乗型車両に乗って移動しても、その移動中は、違和感を抑制した状態とすることができる。
【００２３】
また、本実施形態では、図３に示すように、シャックル錠１０を大地等の平面Ｈに載置した場合、Ｕ字状部２２が平面Ｈから浮き上がった状態となる。この状態で、図５に示すように示すように、使用者は一方の手で上方から下方へＵ字状部２２を押圧すると、錠本体３０が浮き上がり、錠本体３０と平面Ｈの間で、指Ｙが入る間隔が形成される。この状態で、錠本体３０を手で簡単に握ることができる。このように、本実施形態によれば、錠本体３０を迅速に、かつ、確実に持つことも可能となる。
【００２４】
本実施形態では、下記の特徴を有する。
（１）本実施形態のシャックル錠１０は、ポケットサイズに形成されるとともに、中央部にＵ字状部２２を有し、Ｕ字状部２２の両端に一体に連結された一対の錠本体接続部２４を有するロッド２０を備えている。また、シャックル錠１０は、ロッド２０の一対の錠本体接続部２４、２６の端部を抜き出し自在に挿入する挿入孔３２を有する錠本体３０を備えている。また、錠本体３０が施錠がされることにより、ロッド２０と錠本体３０とによりループが保持される。そして、Ｕ字状部２２と、一対の錠本体接続部２４の境界において鈍角の屈曲角度θで屈曲されている。
【００２５】
この結果、本実施形態によれば、使用者のズボン等の衣服の後ポケットに入れた際、使用者の違和感を抑制できる。
（２）また、本実施形態では、屈曲角度θは、ループが保持された状態で平面Ｈに載置されて、平面Ｈから浮き上がったＵ字状部２２が上方から下方へ押圧されたとき、錠本体３０が浮き上がり、浮き上がった錠本体３０と平面Ｈとの間で指Ｙが挿入自在となる角度としている。この結果、錠本体３０を簡単にしかも確実に持つことができる。
【００２６】
なお、本発明の実施形態は前記実施形態に限定されるものではなく、下記のように変更しても良い。
・前記実施形態では、シャックル錠１０は、ロッド２０の錠本体接続部２４、２６が、両者とも、錠本体３０の挿入孔３２に対して挿入離脱可能な構成としたが、この構成に限定するものではない。シャックル錠１０の構成として、錠本体接続部２４、２６のいずれか一方のみを錠本体３０の挿入孔３２に対して挿入離脱可能な構成とし、他方を、錠本体３０に対して摺動自在に、かつ、抜け出し不能に構成してもよい。
【００２７】
・前記実施形態では、屈曲角度θは、ループが保持された状態でシャックル錠１０が平面Ｈに載置されて、該平面Ｈから浮き上がったＵ字状部２２が上方から下方へ押圧されたとき、錠本体３０が浮き上がり、その浮き上がった錠本体３０と平面Ｈとの間に人の指Ｙが挿入自在となる角度とした。しかし、この構成に限定するものではなく、屈曲角度θを人の指Ｙが入らない程度に浮き上がる角度としてもよい。
【００２８】
・前記実施形態では、錠本体接続部２４、２６の軸心２４ａ、２６ａと、Ｕ字状部２２の軸心２２ａとは、屈曲角度θが鈍角となるように錠本体接続部２４、２６とＵ字状部２２の境界で屈曲するようにした。この屈曲箇所は、錠本体接続部２４、２６の領域でもよく、或いはＵ字状部２２の領域でもよく、或いは、錠本体接続部２４、２６とＵ字状部２２との境界でもよい。
【００２９】
・また、屈曲箇所を、図６に示すように複数にして、それぞれ鈍角の屈曲角度θ１，θ２を有するようにしてもよい。或いは、円弧状に屈曲（すなわち、湾曲）してもよい。
【符号の説明】
【００３０】
１０…シャックル錠、２０…ロッド、２２…Ｕ字状部、２２ａ…軸心、
２４…錠本体接続部、２４ａ…軸心、２６…錠本体接続部、２６ａ…軸心、
２８…カバー、３０…錠本体、３０ａ…金属ケース、３２…挿入孔、
３４…シリンダー錠、Ｈ…平面、Ｙ…指、Ｋ…お尻の曲面。
【図１】
2018105043.tif 000003
【図２】
2018105043.tif 000004
【図３】
2018105043.tif 000005
【図４】
2018105043.tif 000006
【図５】
2018105043.tif 000007
【図６】
2018105043.tif 000008